(57)【要約】      （修正有）【課題】接着時の気泡の発生を効率的に防止するとともに、接着後の湿気進入による接着劣化を防止する。【解決手段】ラベル１の接着剤２，４が塗布される面に、ローラー加圧によるラベルの貼付け時に発生する気泡を外部に排出するための接着剤非塗布域５，６を設ける。接着剤非塗布域の幅は、ラベル１の周辺部では接着剤非塗布域６がラベル貼付け時のローラー加圧による前記接着剤２，４の拡がりによってこの接着剤非塗布域６が覆われてしまうように狭い幅に設定し、ラベル１の中央部では前記ラベル貼付け時のローラー加圧後も接着剤非塗布域５が残る比較的広い幅に設定されている。【選択図】図１
2009186516.tif 000002
【特許請求の範囲】
【請求項１】
ローラー加圧により接着される接着剤付きラベルにおいて、該ラベルの接着剤が塗布される面に、前記ローラー加圧によるラベルの貼付け時に発生する気泡を外部に排出するための接着剤非塗布域が設けられ、かつ前記接着剤非塗布域の幅は、ラベルの周辺部では前記接着剤非塗布域が前記ラベル貼付け時のローラー加圧による前記接着剤の拡がりによって前記接着剤非塗布域を前記接着剤で覆うことが可能な第１の幅に設定され、ラベルの中央部では前記ラベル貼付け時のローラー加圧後も前記接着剤非塗布域が残る第２の幅に設定されていることを特徴とする接着剤付きラベル。
【請求項２】
前記接着剤の塗布域は、前記第２の幅の接着剤非塗布域を設けた斜め方向のストライブ状に塗布された塗布域と、該ラベルの周辺部において、前記第２の幅の接着剤非塗布域を前記第１の幅の接着剤非塗布域に狭めるために塗布された塗布域とからなっていることを特徴とする請求項１に記載の接着剤付きラベル。
【請求項３】
前記ラベルは矩形のラベルであり、前記接着剤の塗布域は、該ラベルの左右の周辺部および該左右の周辺部間において前記第２の幅の接着剤非塗布域を設けた縦方向のストライブ状に塗布された塗布域と、該ラベルの上下の周辺部において、前記第２の幅の接着剤非塗布域を前記第１の幅の接着剤非塗布域に狭めるために塗布された塗布域とからなっていることを特徴とする請求項１に記載の接着剤付きラベル。
【請求項４】
前記ラベルは矩形のラベルであり、前記接着剤の塗布域は、該ラベルの上下の周辺部および該上下の周辺部間において前記第２の幅の接着剤非塗布域を設けた横方向のストライブ状に塗布された塗布域と、該ラベルの左右の周辺部において、前記第２の幅の接着剤非塗布域を前記第１の幅の接着剤非塗布域に狭めるために塗布された塗布域とからなっていることを特徴とする請求項１に記載の接着剤付きラベル。
【請求項５】
前記接着剤の塗布域は、該ラベルの周辺部にのみ塗布されるとともに、該ラベル周辺部の両端部に、前記第１の幅の接着剤非塗布域が設けられた塗布域となっていることを特徴とする請求項１に記載の接着剤付きラベル。
【請求項６】
前記接着剤の塗布域は、前記ラベルの中央部において、互いに前記第２の幅の接着剤非塗布域を隔てて島状に塗布された塗布域と、該ラベルの周辺部において、互いに前記第１の幅の接着剤非塗布域を隔てて島状に塗布された塗布域とからなっていることを特徴とする請求項１に記載の接着剤付きラベル。
【発明の詳細な説明】
【技術分野】
【０００１】
本発明は、電池パック等の製品に貼られる接着剤付きラベルに関し、特にラベル貼着工程における気泡閉じ込めによる外観品質の低下を防止する技術に関する。
【背景技術】
【０００２】
一般に、製品本体にはその製品の内容を表示するラベルが貼着されている。図４は、本発明に関連するラベルおよび該ラベルの製品への貼り付け工程を示している。
【０００３】
図４において、ラベル１はその裏面全面に接着剤２が塗布されており、このラベル１を貼り付ける製品とラベル１の接着剤塗布面を対向させて配置した後、ラベル１を端からローラー２で加圧して空気を逃がしながら貼り付けることにより、貼り付け後に接着部に気泡が発生しないようにしている。
【０００４】
しかしながら、貼付け面の段差等により、ローラーにより加圧される前にラベルが貼り付いて、貼付け面とラベルの間に空気が取り込まれた場合、ローラーによる加圧時に接着剤２が空気をそのまま閉じ込めてしまって気泡４が発生することがある。この気泡４の発生は、接着後の外観品質を低下させる原因となり、また、外観品質程度の悪い物に関してはラベルの貼り直し作業が必要となる。その為、商品価値の低下や、貼り直しをする場合には貼り直しに要する工数と部材費が発生していた。
【０００５】
このような問題を解消するために、特許文献１では、シート状基材と接着剤よりなる接着剤付きラベルにおいて、シート状基材に、接着剤をストライブ状、アヤ目状、あるいは格子状に塗布することにより接着剤の非塗付部を設けた構成としている。そして、このラベルを製品へ貼付け途中に空気が取り込まれた場合には、取り込まれた空気を、この接着剤非塗付部により形成される製品とラベル間の非接着部を介して外部へ逃がすことにより、ラベル接着の作業性向上と、気泡閉じ込めによる外観品質の低下を防止している。
【０００６】
また、特許文献２では、粘着シールの接着剤を線状、または点状に配置することにより接着剤の非塗付部を一定間隔で設けるとともに、この粘着シールを製品に接着する際のシール表面圧着による接着剤の展性を利用して接着剤を非塗付部まで広げることにより、内部の空気を追い出しながら接着することによって、空気溜まりの発生を抑制している。
【０００７】
【特許文献１】特開昭６１−５２６７９号公報
【特許文献２】特開２００４−２９０９４４号公報
【発明の開示】
【発明が解決しようとする課題】
【０００８】
特許文献１または２に記載の発明によれば、接着時に空気を取り込んだ場合でも、気泡はラベルの接着剤塗布面に一定間隔で設けられた接着剤の非塗付部を介して容易に外部へ排出されるので、接着後の外観品質を確保することができるとともに、気泡によるラベルの貼り直し作業を無くすことが可能である。
【０００９】
しかし特許文献１に記載の接着剤付きラベルが製品に塗布された後も、この一定間隔で設けられた接着剤非塗付部のために、ラベルの周辺には製品と接着されない非接着部が生じ、そのため貼り付け強度が弱くなるという問題があり、またこの非接着部から湿気が入り込むことによる外観品質の劣化を生ずる恐れもある。
【００１０】
一方、特許文献２に記載の発明では、粘着シールを製品に接着する際に、シール表面を圧着して接着剤を非塗付部まで広げることにより、内部の空気を追い出す構成であるため、接着時に、接着剤の非塗付部が接着剤の広がりでカバーされるように、接着剤の非塗付部間隔を、比較的狭い範囲に設定してラベルの全面に亘って塗布しなければならず、また、ラベルの中央部付近に塗布された接着剤の塗布間隔が接近しすぎてシール表面を圧着する前に隣り合う接着剤が接触して塗布間隔がなくなってしまうと、気泡の排出が十分達成できない恐れもある。
【００１１】
本発明の目的は、上述した課題を解決することが可能な接着剤付きラベルを提供することにある。
【課題を解決するための手段】
【００１２】
本発明の接着剤付きラベルは、ローラー加圧により接着される接着剤付きラベルにおいて、該ラベルの接着剤が塗布される面に、前記ローラー加圧によるラベルの貼付け時に発生する気泡を外部に排出するための接着剤非塗布域が設けられ、かつ前記接着剤非塗布域の幅は、ラベルの周辺部では前記接着剤非塗布域が前記ラベル貼付け時のローラー加圧による前記接着剤の拡がりによって前記接着剤非塗布域を前記接着剤で覆うことが可能な第１の幅に設定され、ラベルの中央部では前記ラベル貼付け時のローラー加圧後も前記接着剤非塗布域が残る第２の幅に設定されていることを特徴とする。
【発明の効果】
【００１３】
本発明によれば、ラベルの接着剤が塗布される面に設けられた接着剤非塗付域の幅（第１の幅）が、ラベルの周辺部では前記接着剤非塗布域が前記ラベル貼付け時のローラー加圧による前記接着剤の拡がりによって該接着剤非塗布域を覆うことが可能な幅に設定されているので、ラベルの周辺部は製品と完全に接着され、十分な貼り付け強度が得られるとともに、ラベル周辺部から接着部へ湿気が入り込むことがないので外観品質の劣化を生ずることがない。
【００１４】
さらに、前記ラベルの中央部では、前記ローラー加圧によるラベルの貼付け時に発生する気泡を外部に排出した後も、接着剤非塗布域が残る幅（第２の幅）に設定しているので、ラベルの貼付け時に発生する気泡を効率的に外部に排出できるとともに、塗布する接着剤の量を減らす効果、および、ラベルを剥がすとき、剥がしやすくなる効果もある。
【発明を実施するための最良の形態】
【００１５】
図１は、本発明の実施形態を示す接着剤付きラベルを接着面側からみた平面図である。
【００１６】
本実施形態の接着剤付きラベル１では、接着剤２を、接着剤非塗布域５を設けた斜め方向のストライブ模様に塗布し、さらにラベル１の周辺部にのみ、ストライブ模様に沿って接着剤非塗布域５の幅よりも狭い幅の接着剤非塗布域６を設けて接着剤４を塗布する。
【００１７】
接着剤非塗布域５は、ローラー加圧によるラベルの貼付け時に発生する気泡を外部に排出するとともに、ラベルの貼付け時のローラー加圧がされた後も接着剤非塗付域として残るような幅（第２の幅）に設定されている。一方、接着剤非塗布域６は、ローラー加圧によるラベルの貼付け時に発生する気泡を外部に排出するとともに、ラベルの貼付け時のローラー加圧による接着剤の拡がりによってこの接着剤非塗布域６が接着剤で覆われてしまう幅（第１の幅）に設定されている。
【００１８】
図２は、本実施形態の接着剤付きラベル１をローラー３で加圧しながら接着する動作を説明する図であり、図２（ａ）は縦方向から加圧しながら接着する場合、図２（ｂ）は、横方向から加圧しながら接着する場合を示している。
【００１９】
例えば図２（ａ）のように、ラベル１を製品の表面に貼り付けるために、ローラー３により下端から加圧しながら接着して行くと、途中で空気が取り込まれた場合でも、取り込まれた空気は、接着剤が塗布されていない接着剤非塗布域５及び６の部分を通って白抜き矢印で示されている方向から外に排出される。
【００２０】
そして、ローラー３により加圧接着された後は、ラベル１の周辺部に設けられた接着剤非塗布域６は、ローラー加圧による接着剤の拡がりによって接着剤で覆われてしまうため、ラベル１の周辺部は、接着剤２および接着剤４により、その全周に亘って隙間なく接着される。
【００２１】
なお、接着時のローラーでの加圧方向は、図２（ａ）のように縦方向ではなく図２（ｂ）のように横方向から行った場合でも接着剤がラベルに対して斜めに配置されている為、同様に空気排出が可能である。
【００２２】
図３は、本発明の他の実施形態として４つの例を示す接着剤付きラベルを、それぞれ接着面側からみた平面図である。
【００２３】
図３（ａ）は、矩形の接着剤付きラベルの場合に好適であり、接着剤２を、接着剤非塗布域５を設けた縦方向のストライブ模様とするとともに、ラベル１の左右両側辺にもこのストライブ模様の接着剤が配置されるようにして塗布する。さらにラベル１の上下の周辺部には、このストライブ模様に沿って接着剤非塗布域５の幅よりも狭い幅の接着剤非塗布域６が設けられるように接着剤４を塗布する。
【００２４】
接着剤非塗布域５及び６の幅はそれぞれ、図１の実施形態の場合と同様に設定される。本実施形態では、接着剤非塗布域５及び６が縦方向に延伸して配置されているので、ローラー３により縦方向に加圧接着して空気を縦方向に逃がすことによって、本発明の効果を発揮させることができる。
【００２５】
図３（ｂ）は、接着剤２を、ラベル１の周辺部にのみ塗布することによりラベル１の中央部を接着剤非塗布域５とするとともに、ラベル１の両端辺に、ローラー加圧によるラベルの貼付け時に発生する気泡を外部に排出するとともに、ラベルの貼付け時のローラー加圧による接着剤２の拡がりによって閉じられる接着剤非塗付域６を設けている。
【００２６】
接着剤非塗布域５及び６の幅はそれぞれ、図１の実施形態の場合と同様に設定される。本実施形態も、接着剤非塗布域５及び６が縦方向に延伸して配置されているので、ローラー３により縦方向に加圧接着して空気を縦方向に逃がすことによって、本発明の効果を発揮させることができる。
【００２７】
図３（ｃ）は、矩形の接着剤付きラベルの場合に好適であり、接着剤２を、接着剤非塗布域５を設けた横方向のストライブ模様とするとともに、ラベル１の上下の辺にもこのストライブ模様の接着剤が配置されるようにして塗布する。さらにラベル１の左右の周辺部には、このストライブ模様に沿って接着剤非塗布域５の幅よりも狭い幅の接着剤非塗布域６が設けられるように接着剤４を塗布する。
【００２８】
接着剤非塗布域５及び６の幅はそれぞれ、図１の実施形態の場合と同様に設定される。本実施形態では、接着剤非塗布域５及び６が横方向に延伸して配置されているので、ローラー３により横方向に加圧接着して空気を横方向に逃がすことによって、本発明の効果を発揮させることができる。
【００２９】
図３（ｄ）は、接着剤２を、ラベル１の中央部および周辺部に島状に塗布することによりラベル１に接着剤非塗布域５および６を形成している。接着剤非塗布域５及び６の幅はそれぞれ、図１の実施形態の場合と同様に設定される。本実施形態では、接着剤非塗布域５及び６が縦方向および横方向に延伸して配置されているので、ローラー３によりどの方向から加圧接着しても、空気を逃がすことが可能である。
【図面の簡単な説明】
【００３０】
【図１】本発明の実施形態を示す接着剤付きラベルの平面図である。
【図２】本実施形態の接着剤付きラベルを接着する動作を説明するための図である。
【図３】本発明の他の実施形態を示す接着剤付きラベルの平面図である。
【図４】従来の接着剤付きラベルを接着する動作を説明するための図である。
【符号の説明】
【００３１】
１  ラベル
２、４  接着剤
３  ローラー
５、６  接着剤非塗布域
【図１】
2009186516.tif 000003
【図２】
2009186516.tif 000004
【図３】
2009186516.tif 000005
【図４】
2009186516.tif 000006